(57)【要約】      （修正有）【課題】廃棄物の安全な有効活用を考慮したオートクレーブ機能付きの遠赤外線加熱乾燥機を提供する。【解決手段】被対象処理物に対して無害化処理及び加熱乾燥処理を実施可能なオートクレーブ機能付き遠赤外線加熱乾燥機であって、内部に前記被対象処理物が投入されて、回転駆動される回転ドラム１０と、回転ドラム１０の内部に配設されて、回転ドラム１０とともに回転駆動される攪拌羽と、回転ドラム１０の回転中心となる位置に配設された回転軸と、回転ドラム１０の内部に連通する開口部に開閉可能に取り付けられた電磁石開閉扉４０とを有し、回転ドラム１０および、攪拌羽、回転軸、電磁石開閉扉４０のうち、少なくとも回転ドラム１０を含む一つ以上の部材は、電気プレートヒーターを内蔵したセラミック製部材を備えていて、８０〜４００℃の範囲で加熱温度の設定が可能に構成された遠赤外線乾燥処理機能を有する。【選択図】図１
0003204213.tif 000002
【実用新案登録請求の範囲】
【請求項１】
建設発生土、浚渫汚泥類、採石廃土、窯業廃土、陶磁器くず、石炭灰、廃プラスチック、廃ゴム、木くずを含む建設廃材、ガラスカレット、及び粒状金属類のいずれか一種以上を含む産業廃棄物を被対象処理物として、当該被対象処理物に対して無害化処理及び加熱乾燥処理を実施可能なオートクレーブ機能付き遠赤外線加熱乾燥機であって、
内部に前記被対象処理物が投入されて、回転駆動される回転ドラムと、
前記回転ドラムの内部に配設されて、前記回転ドラムとともに回転駆動される攪拌羽と、
前記回転ドラムの回転中心となる位置に配設された回転軸と、
前記回転ドラムの内部に連通する開口部に開閉可能に取り付けられた電磁石開閉扉と
を有し、
前記回転ドラムおよび、攪拌羽、回転軸、電磁石開閉扉のうち、少なくとも前記回転ドラムを含む一つ以上の部材は、電気プレートヒーターを内蔵したセラミック製部材を備えていて、８０〜４００℃の範囲で加熱温度の設定が可能に構成された遠赤外線乾燥処理機能を有し、
前記回転軸には、高加圧水蒸気が拡散噴射するオートクレーブ蒸気噴射弁が設けられ、当該オートクレーブ蒸気噴射弁から噴射される蒸気温度を１００℃から２００℃に設定可能、かつ、蒸気圧力を１００ｋＰａＧから１．５ＭＰａＧに設定可能に構成され、
さらに、前記回転軸には、減圧真空ポンプ装置となる吸引減圧弁と、回転ドラム内の湿度を検知し、７０％以上から作動を開始する送風機能を備えた送風排気弁とを備えている
ことを特徴とするオートクレーブ機能付き遠赤外線加熱乾燥機。
【請求項２】
請求項１に記載のオートクレーブ機能付き遠赤外線加熱乾燥機であって、
前記回転ドラムには、当該回転ドラムの回転速度を任意に設定制御可能な装置と、前記回転ドラムの外周に接触する位置に配設されて、モーターによる駆動力を前記回転ドラムの外周に伝達して前記回転ドラムを回転駆動可能な駆動装置が付設されている
ことを特徴とするオートクレーブ機能付き遠赤外線加熱乾燥機。
【請求項３】
請求項１又は請求項２に記載のオートクレーブ機能付き遠赤外線加熱乾燥機であって、
前記攪拌羽は、羽の枚数、羽の取付け勾配、羽の形状を変更可能に構成され、羽の材質を、セラミック製および、ステンレス鋼製、鋼合金製のいずれかに変更可能に構成されている
ことを特徴とするオートクレーブ機能付き遠赤外線加熱乾燥機。
【請求項４】
請求項１〜請求項３のいずれか一項に記載のオートクレーブ機能付き遠赤外線加熱乾燥機であって、
前記回転軸は、内側にステンレス鋼製の筒状部材を有し、その筒状部材には、前記オートクレーブ蒸気噴射弁と、前記吸引減圧弁と、前記送風排気弁とが内蔵されており、その筒状部材の外側がセラミック製の筒状体で覆われている
ことを特徴とするオートクレーブ機能付き遠赤外線加熱乾燥機。
【請求項５】
請求項１〜請求項４のいずれか一項に記載のオートクレーブ機能付き遠赤外線加熱乾燥機であって、
前記電磁石開閉扉は、真空減圧を含む減圧時にも前記回転ドラムとの間の気密性を確保可能に構成されている
ことを特徴とするオートクレーブ機能付き遠赤外線加熱乾燥機。
【請求項６】
請求項１〜請求項５のいずれか一項に記載のオートクレーブ機能付き遠赤外線加熱乾燥機であって、
前記オートクレーブ蒸気噴射弁から噴射される高加圧水蒸気によるオートクレーブ滅菌処理と、前記電気プレートヒーター内蔵セラミック製部材による遠赤外線乾燥処理とを、同一の前記回転ドラムの内部で行う
ことを特徴とするオートクレーブ機能付き遠赤外線加熱乾燥機。
【請求項７】
請求項１〜請求項６のいずれか一項に記載のオートクレーブ機能付き遠赤外線加熱乾燥機と、
前記オートクレーブ機能付き遠赤外線加熱乾燥機によって無害化処理及び加熱乾燥処理が施された前記被対象処理物を冷却する送風冷却装置と
を備え、
前記送風冷却装置は、内壁に光触媒コーティングが塗膜してあり、送風によって冷却を行う送風冷却部に加え、紫外線照射灯により消毒処理を行う紫外線照射部とを有する
ことを特徴とする産業廃棄物処理システム。
【考案の詳細な説明】
【技術分野】
【０００１】
本考案は、オートクレーブ機能付きの遠赤外線加熱乾燥機の技術に関するものであり、より詳しくは、熱源は電気式で高圧蒸気滅菌が可能なオートクレーブであり、高加圧水蒸気を用いて、被対象処理物に付着する細菌、結核菌、芽胞、真菌、ウイルスを物理的に滅菌処理すると同時に、乾燥機内にある電気式プレートヒーターを内蔵したセラミック製のドラム部材等は、回転ドラム内部に遠赤外線による加熱を行うので、他で採用されているバーナ燃焼時のような廃棄ガスを排出しないためクリーンであり、重油または灯油類の熱源より省エネルギーであり、更に被対象処理物に対して均一加熱乾燥を実現するので加熱時間の短縮が可能となる乾燥機に関する。
【０００２】
本考案は、プロペラファンを用いた温風送風方式の乾燥機ではなく、また、被対象処理物を火力バーナ等により直接燃焼させる、いわゆる焼却炉の構造ではない。
【背景技術】
【０００３】
従来、小型の乾燥機（温風ドライヤー）から、大型では焼成炉に至るまで、被対象処理物を乾燥させるために多くの実用技術があった。
例えば小型なものには、家庭内の家電の多くに採用される電気式乾燥機や、他にも衣類等を乾燥させるため灯油や都市ガス、プロパンガス等を燃料に使用するガス式乾燥機などがあり、大型なものには、高熱源を要する乾燥または燃焼システムがあり、焼成炉に代表される蒸気・熱媒油を熱源とした熱媒式や、こちらも電気式、ガス化式などの技術が確立されている。
【０００４】
また、被対象処理物を炉心管内に収容して加熱しながら搬送する焼成炉の代表方式には、ロータリーキルン（回転式連続焼成炉）がある。こちらは、電気加熱方式と、ガス燃焼加熱方式とがあるが、機能する特定温度域は、例えば８００℃から１３００℃以上と高温での処理となる。
【０００５】
本考案における乾燥機内の形状では、ここでは家庭用ヘアードライヤーのようなプロペラファン式の温風送風構造のものではなく、家庭用衣類乾燥機でも、業務用の焼成炉でも、一般的に円柱横型あるいは縦型で回転するものが多く採用されている機構のものであり、本考案と同様に、被対象処理物を回転させてより空気に触れやすくするために攪拌羽のある方式も確立されている。
【０００６】
特許文献１には、茶滓などの含水有機物を効率よく乾燥させる乾燥機であるが、被対象処理物をペレット状にしないと乾燥処理が出来ないものがある。
特許文献２には、蒸気特定温度域が、例えば１０５０℃に達しないと炉心が作動を開始しない、従来から存在する焼成炉がある。
【０００７】
特許文献３には、オートクレーブ装置の中で行う作業員が減圧症にならないため、容器本体内部を定圧保持するための減圧プロセスに関するものがある。
特許文献４には、オートクレーブ使用後に、底部側に水分量の残留を低減させやすく、かつ腐食防止作用のある配管系を工夫したものがある。
【０００８】
特許文献５には、回収した浚渫汚泥中の有機物をガス化させて水素エネルギーとして回収利用しているものもある。
参考までに、汚泥系被対象処理物における再資源化方法と、その用途例の一例を追記する。
１）焼成処理・・・＜粒状＞  建設汚泥を利用目的に応じて形成したものを、１０００℃
程度の温度で焼成固化する処理技術。焼成材は、高強度・軽量性・保水性などの特長
を有する。
【０００９】
用途には、ドレーン材、骨材、緑化基盤園芸用土、ブロックなどがある。
２）溶融処理・・・＜粒状、塊状＞  焼成処理よりも高温で固形分を溶融状態にした後に
冷却し、固形物にする技術。
【００１０】
用途には、砕石代替品、砂代替品、石材代替品などがある。
３）脱水処理・・・＜脱水、ケーキ＞  含水比の高い土から水を絞り出す技術。機械力を
利用した機械式脱水処理と重力などを利用した自然式脱水処理に大別される。
【００１１】
用途には、盛土材、埋戻し材などがある。
４）乾燥処理・・・＜土、粉体＞  土から水を蒸発させることにより含水比を低下させ、
強度を高める技術。天日乾燥などの自然乾燥や熱風などによる機械式乾燥がある。
【００１２】
用途には、盛土材などがある。
５）安定処理・・・＜改良土＞  軟弱な土にセメントや石灰等の固化材を添加混合し、施
工性を改善すると同時に強度の発現・増加を図る化学的処理技術。固化材の添加量に
よって強度の制御が可能である。
【００１３】
用途には、盛土材、埋戻し材などがある。
特許文献６には、本考案の考え方に類似し、遠赤外線加熱を利用した流体加熱装置およびそれを用いた流体処理装置である。
【００１４】
しかし、従来の技術には、本考案の主対象となる「産業廃棄物の中の建設発生土および建設・浚渫汚泥類（下水道・河川・港湾等の浚渫汚泥）の無害化や、その他採石および窯業廃土、陶磁器くず、石炭灰、廃プラスチック、廃ゴム、木くずを含む建設廃材、ガラスカレット、粒状金属類等も、同様に高加圧蒸気滅菌処理」に適応できる装置ではなく、それぞれ一長一短があり、特殊な専門用途向けのものが多くあり、装置も実用価格面においてあまり一般的ではなかった。
【先行技術文献】
【特許文献】
【００１５】
【特許文献１】特開２００６−００７０２５（乾燥機）
【特許文献２】特開２００８−１０７０１１（焼成炉）
【特許文献３】特開２００７−３２６０４８（オートクレーブの減圧方法およびオー  トクレーブ）
【特許文献４】特開２００９−２４１０２７（オートクレーブ）
【特許文献５】特開２００６−１１６５１４（下水汚泥をバイオマス源とした水素エネルギー回収システム及び水素エネルギー回収方法）
【特許文献６】特開２００８−０２００９７（流体加熱装置およびそれを用いた流体  処理装置）
【考案の概要】
【考案が解決しようとする課題】
【００１６】
本考案は、主に産業廃棄物として扱われている、建設発生土および下水道・河川・港湾等の浚渫汚泥類を本装置で滅菌処理することにより無害化し、遠赤外線を発する電気ヒーター内蔵のセラミック製回転ドラム等により、被対象処理物を迅速・均一に乾燥させ、安全・安心な再資源原料として提供する。
【課題を解決するための手段】
【００１７】
以下、本考案において、上記目的を達成するために採用した構成について説明する。
本考案のオートクレーブ機能付き遠赤外線加熱乾燥機の回転ドラム形状は、図１に示すとおり、円柱横型ドラム１０ａまたは、円柱縦型１０ｂ、円形傾斜型ドラム１０ｃであってもよく、円錐形を合わせたいわゆる建設現場で使用されるポットミキサー型１０ｄであってもよい。
【００１８】
本考案のオートクレーブ機能付き遠赤外線加熱乾燥機の構造は、図１および図２並びに図３に示すとおり、表面温度が４００℃まで加熱する電気式プレートヒーターが内蔵されているセラミック製ドラム１０および攪拌羽２０、二重構造になっている回転軸３０、電磁石開閉扉４０が主たる内部部材として構成されている機能を備えることを特徴とする。
【００１９】
また、図２に示すとおり、セラミック製回転軸の先端には、飽和水蒸気の供給が可能な高加圧水蒸気が拡散噴射するオートクレーブ蒸気噴射弁３１と、通常の加圧脱水に限らず、真空脱水または遠心脱水も可能な吸引減圧制御機能を備えた減圧真空ポンプ装置となる吸引減圧弁３２と、回転ドラム内の湿度を検知し、７０％以上から作動を開始する送風機能を備えた送風排気弁３３の機能を備えることを特徴とする。
【００２０】
次に各部材の特徴を解説する。
オートクレーブ蒸気噴射弁３１は、蒸気噴射弁先端のノズルより飽和水蒸気を供給し、その所定温度を１００℃から２００℃に設定することが可能であり、所定圧力は１００ｋＰａＧ以上１．５ＭＰａＧまでの設定が可能である。
【００２１】
吸引減圧弁３２は、定圧保持と減圧とを段階的に減圧制御する機構であり、被対象処理物の乾燥状態を含水率センサーで検知することにより、電気プレートヒーターの適切な加熱と連動することが可能となることから、被対象処理物の乾燥後は、１０質量％以下の含水率となる。
【００２２】
送風排気弁３３は、従来のオートクレーブでは昇温・昇圧後にドレン水が底部に滞留し易かったが、電気プレートヒーターの遠赤外線加熱により、回転ドラム内の水分を効率良く水蒸気に置き換えることができる。
【００２３】
更に共通して、この時に使用される回転ドラムを除く、攪拌羽および回転軸、電磁石開閉扉は、必ずしもセラミック製でなければならないことにはならず、場合によっては、各弁の開閉プレートおよび各配管素材と同様の、腐食に強く耐熱性もあるステンレス鋼製または、アルミニウム合金製、鋼合金製などの金属製であってもよい。加えて、個々の配管は断熱材や絶縁材等で保護されてあってもよい。
【００２４】
他にも、本考案のオートクレーブ機能付き遠赤外線加熱乾燥機の利用範囲には、建設発生土や下水道・河川・港湾等の浚渫汚泥の無害化だけではなく、採石および窯業廃土、陶磁器くず、石炭灰、廃プラスチック、廃ゴム、木くずを含む建設廃材、ガラスカレット、粒状金属類等も、同様に高加圧蒸気滅菌処理装置として利用が可能である。
【００２５】
本考案のオートクレーブにより物理的に消毒滅菌する対象病原微生物には、以下の項目に掲げられる微生物群を想定している。
細菌・・・ブドウ球菌、黄色ブドウ球菌、Ｏ−１５７、サルモネラ菌、菌病原性大腸菌、など。
１）結核菌・・・好気性桿菌、ヒト型結核菌、ウシ型結核菌、ネズミ型結核菌、など。
２）芽胞・・・炭疽菌、セレウス菌（食中毒の一種）、枯草菌、納豆菌、破傷風菌、など
。
３）真菌（カビ）・・・白癬菌（水虫）、たむし、カンジタ症、アスペルギルス症、など
。
４）ウイルス・・・インフルエンザウイルス、ヘルペスウイルス、エイズウイルス、など
。
【００２６】
ところで、本考案で取扱いを想定している被対象処理物は、本考案のオートクレーブ機能により、高加圧蒸気滅菌されているので生態系への安全性については検証されているが、過大な土壌汚染塊または重度の水質汚染により特定有害物質が明らかに含有している被対象処理物や、試薬を含む毒物・劇物・危険物または農薬が大量に含有している被対象処理物の場合には、かならずしも消毒滅菌洗浄されているものとは限らない。
【００２７】
特定の有害物質が明らかな場合には、別の除去方法によらなければならない。
そのため、図４に示すとおり、その後の二酸化チタン（光触媒）コーティングを塗膜した専用の送風冷却乾燥機５０では、滅菌処理後の骨材が通過中には、送風冷却処理５１の処理過程後、追加の処理工程として紫外線灯消毒器での消毒処理５２を実施してもよい。（ＵＶ−ＴｉＯ２）
この作業工程を加えることにより、被対象処理物に相当量に含有または付着する汚染物質を、紫外線の作用で微生物のＤＮＡ中にチミンダイマーを生成させて死滅させるため、被対象処理物の表面や乾燥中の気体に対して無害化することが可能となる。これを紫外線−二酸化チタン作用プロセスと呼ぶ。
【００２８】
この時、被対象処理物は、通常ベルトコンベアー等で搬送されるが、できれば振動を連続的に与えた振動ベルトコンベアー６０であった方が、より紫外線の照射が均一かつ満遍なく行うことができる。
【００２９】
図４において、振動ベルトコンベアーで搬送されながら、送風冷却され、紫外線照射により消毒された被対象処理物は、その後、通常利用されている振動ふるい機またはトロンメル７０等により粒度をふるい分けされ、各粒度に応じてヤード８０に、８１および８２の粒度に分級されて保管される。
【００３０】
その他、回転ドラムを含む、特記事項について追記する。
本考案で採用する回転ドラム１０は、ドラムの回転速度を任意に制御可能な制御システムにより運転される。また、回転ドラムの駆動は、ドラムの外周にモーターによる駆動装置１１を備える。
【００３１】
本考案で採用する攪拌羽２０は、通常は電気プレートヒーターが内蔵された羽を使用するが、場合によっては、ステンレス鋼製または鋼合金製であってもよい。
本考案で採用する回転軸３０は、各種配管弁を設置した筒状のものと、外側を包む二重構造となるが、場合によっては、ステンレス鋼製または鋼合金製であってもよい。
【００３２】
本考案で採用する電磁石開閉扉４０は、被対象処理物を投入する扉であるが、ドラム内部の減圧、排気による内部圧力の差に耐えうるよう、通常のゴムパッキンで密着させる手動バッチ式ではなく、電磁石式の開閉扉を採用することにより、真空状態にも耐えうる回転ドラム内部の気密性を高めている。
【００３３】
また、電磁石開閉扉４０も、通常は電気プレートヒーターが内蔵された扉を使用するが、場合によっては、ステンレス鋼製または鋼合金製であってもよい。
【考案の効果】
【００３４】
技術的な効果としては、
被対象処理物を高加圧蒸気によるオートクレーブ滅菌処理を行うことにより、蒸気温度を高めて細菌類のタンパク質を破壊し死滅させ、被対象処理物を無害化することが可能である。
【００３５】
この時の水蒸気設定温度は、１００〜２００℃の範囲で加熱が可能であるが、通常は１２１℃以上に達して水蒸気が噴射し、時間にして１５〜３０分間以上は継続高加圧処理を行う。
【００３６】
通例では、以下の３つの条件のいずれかで行われる。
１）１１５℃（０．７kgｆ／ｃｍ2）３０分間
２）１２１℃（１．１kgｆ／ｃｍ2）２０分間
３）１２６℃（１．４kgｆ／ｃｍ2）１５分間
本考案の回転ドラム等を構成する素材を、電気プレートヒーターを内蔵したセラミック製にすることにより、従来の多くのボイラー式の火力バーナより安全で、かつ排気は水蒸気であるためクリーンであり、真空密閉も可能な気密性を有しているため、重油や灯油等の燃料方式よりも省エネルギーであり、遠赤外線効果により加熱時間の短縮が可能であり、被対象処理物の均一加熱を実現することが可能である。
【００３７】
この時の加熱温度設定は、８０〜４００℃の範囲で加熱設定が可能であるが、通常は被対象処理物の組成および投入量に応じて１５０〜３５０℃の範囲で継続加熱されていればよい。
【００３８】
被対象処理物が、本考案のオートクレーブ機能付き遠赤外線加熱乾燥機の終了後、通常は送風冷却装置に送られて冷却されるが、顧客のニーズにより、紫外線灯消毒器での滅菌処理工程を追加する場合がある。この時の紫外線灯は、消毒効果の高い２５３．７ｎｍ（ナノメートル）内外の紫外線波長帯であり、８５μW／ｃｍ2以上の紫外線（ＵＶＣ領域）を連続して２０分間以上照射されていれば問題はないが、被対象処理物が重なり合わさらないよう、被対象処理物を搬送移動するベルトコンベアーは、できれば振動機能の付いたものが望ましい。
【００３９】
次に、社会的な効果としては、
従来の被対象処理物となる建設発生土や建設・浚渫汚泥類は、遠心分離機等で水分を分離し粒度を分級している。その後の通常では、見た目の判断で有害か否かを判断していた。しかしこれでは再利用先での埋戻しや埋立てでも、環境を悪化させているかどうかは判らなかった。
【００４０】
本考案は、確実に無害化された安全・安心なリサイクル土として利用普及を目指すものであり、現在の産業廃棄物最終処分場での埋立率の削減を図ると共に、本考案の取組みにより地域社会の循環型社会の形成に貢献することが出来る。
【００４１】
また、次亜鉛素酸ナトリウム水溶液や塩素系洗剤、界面活性剤、エタノール等の溶剤による洗浄ではないので排水処理の工程はなく、また、火力によるバーナ燃焼による乾燥ではないので煙突からの排煙装置はなく、電気プレートヒーターによる最短工程で最大の効果を発揮するため、地球温暖化防止に関わる温室効果ガス（ＣＯ２）の排出削減にも貢献することが出来る。
【００４２】
更に、自社の独占特許とはせず本考案を広く世界に公表し、同業他社或いは異業種、海外からの事業参入であったとすれば、新産業または新事業の創出となり、本考案の技術をより簡単に、より解かりやすく技術指導を行うことにより、世界各地のゴミ処理問題の解決に寄与することを目指している。
【図面の簡単な説明】
【００４３】
【図１】図１の、１０ａは円形横型回転ドラムの側面を示す図であり、１０ｂは円形縦型回転ドラムの側面を示す図、１０ｃは円形傾斜型回転ドラムの側面を示す図、更に１０ｄは、円錐合わせ型（ポットミキサータイプ）の側面を示す図である。
【図２】図２（ａ）は、円形型回転ドラムの正面図であり、１０は回転ドラム本体、２０は攪拌羽、３０は回転軸、３１はオートクレーブ蒸気噴射弁、３２は吸引減圧弁、３３は送風排気弁を示すものである。更に（ｂ）は、円形型回転ドラムの断面図であり、１０は回転ドラム本体、１１は回転ドラム駆動装置、２０は攪拌羽、３０は回転軸を示すものである。この時の攪拌羽については、０枚から８枚までの取り付けを想定している。回転ドラム本体および、攪拌羽、回転軸、電磁石開閉扉の部材は、全てセラミック製であるが、遠赤外線効果により被対象処理物の乾燥を促進させるため、部材の中に電気プレートヒーターが内蔵されている。但し、製造コストの関係上、必ずしも全てをセラミック製とは出来ない場合には、回転ドラム本体を除く、攪拌羽、回転軸、電磁石開閉扉の部材については、金属疲労を最小限に抑えられるステンレス鋼製または鋼合金製であってもよい。
【図３】図３（ａ）および（ｂ）は、円錐合わせ型（ポットミキサータイプ）の側面を示す図であるが、（ａ）は被対象処理物を回転攪拌中の、作動中のドラム角度を示す図であり、（ｂ）は、攪拌後の被対象処理物を取り出す際のドラム角度を示す図となる。更に（ｃ）は、円錐合わせ型（ポットミキサータイプ）の断面図であり、１０は回転ドラム本体、２０は攪拌羽、３０は回転軸を示す図である。
【図４】図４は、被対象処理物を高圧蒸気によるオートクレーブ滅菌処理後、振動ベルトコンベアー６０で、内部壁面を二酸化チタン（光触媒）でコーティングされた送風冷却乾燥機５０に搬送し、被対象処理物９０を冷却させている工程を示す図である。本考案により製造されたリサイクル土を購入するユーザーからの要望により、追加消毒の要望があった場合には、送風装置５１の通過後、紫外線照射灯５２により連続して２０分間以上の物理的消毒処理を行い、その後に被対象処理物の粒度調整を行う。粒度調整については、通常従来から行われている振動ふるい機またはトロンメル７０等で分級し、その後も通常とおりの保管ヤード８０に粒度に応じて投入ストックされる。
【考案を実施するための形態】
【００４４】
次に、本考案の実施形態について、いくつかの具体的な例を挙げて説明する。
「実施例１」
実施例１では、被対象処理物となる産業廃棄物の、建設発生土および、下水道・河川・港湾等から浚渫された汚泥類を、電気プレートヒーター内蔵のセラミック製回転ドラムで攪拌しながらオートクレーブ（高圧蒸気滅菌）することにより、被対象処理物を無害化し、安全・安心なリサイクル土として利用可能な製品事例について説明する。
【００４５】
実施例１で無害化まではしていない従来のリサイクル土は、一般的には振動ふるい機またはトロンメル等により粒度調整を行い、汚染具合については、見た目の判断だけで再利用されていたものであり、その多くは埋め戻し材や、埋立処分をされていた。
【００４６】
従来のリサイクル土では不安が残ったが、本考案では、オートクレーブ（高圧蒸気滅菌）処理がなされていることにより被対象処理物の安全性を高め、確実に無害化された製品として販売が可能になる。
【００４７】
「実施例２」
実施例２では、被対象処理物となる産業廃棄物の汎用性について説明する。
実施例１では、建設発生土および、下水道・河川・港湾等から浚渫された汚泥類を被対象処理物としていたが、
実施例２では、本考案のオートクレーブ（高圧蒸気滅菌）方式の採用により、採石および窯業廃土、陶磁器くず、石炭灰、廃プラスチック、廃ゴム、木くずを含む建設廃材、ガラスカレット、粒状金属類等の安定型産業廃棄物も、同様に高加圧蒸気滅菌処理装置として利用が可能である。
【００４８】
「実施例３」
実施例３では、電気プレートヒーターを内蔵したセラミック製の遠赤外線加熱の理論について説明する。
【００４９】
本考案では、実施例１および実施例２に掲げるオートクレーブ（高圧蒸気滅菌）方式により、被対象処理物を確実に滅菌することができるが、回転ドラム内で高圧水蒸気処理を行うため、被対象処理物を乾燥させる必要がある。
【００５０】
そこで被対象処理物を乾燥させる方法として、回転ドラムおよび、攪拌羽、回転軸、電磁石開閉扉の部材をセラミック製とし、そのセラミック部材の中に電気プレートヒーターを内蔵することにより、高圧蒸気滅菌処理から乾燥処理までを、一貫して同一回転ドラムの内部で行う工程に特徴がある。
【００５１】
また、乾燥機能の熱源を電気プレートヒーターとすることにより、遠赤外線加熱では熱風を送らないため回転ドラム内で塵を巻き上げることはなく、クリーンな環境中で処理が行うことが可能である。
【００５２】
更に、火力バーナ燃焼とは違い、遠赤外線加熱は直接被対象処理物に作用する熱運動であることから、煙突もなく空気等への熱損失が小さく、運転のためのランニングコストも抑えられる。
【００５３】
加えて、遠赤外線加熱は均一加熱が可能であるため、結果的に加熱時間を短縮することができる。
【産業上の利用可能性】
【００５４】
本考案の主たる被対象処理物は、建設発生土および、建設汚泥、下水道・河川・港湾等の浚渫汚泥を無害化する技術であるが、国土交通省の建設副産物実態調査では、平成１７年度の建設発生土は数量ベースで年間１億９５１８万立方メートルであり９０％以上が何らかの方法で再資源化されているが、建設汚泥および浚渫汚泥類は年間７５０万トンのうち６８％程度しか再資源化されていないと報告されている。
【００５５】
仮に前記の市場規模をベースにして産業上の利用可能性を考えると、建設発生土および建設汚泥・浚渫汚泥類は、これまでの無害化されているかどうかの判断は目視だけの極めて危険な方法で再利用されており、確実に無害なリサイクル土とは言い切れないのが実情である。
【００５６】
本考案は建設発生土や建設・浚渫汚泥類の無害化だけではなく、産業廃棄物を完全に無害化滅菌処理を行う技術として、幅広く技術提供が可能な利用範囲と利用可能性を兼ね備えた考案である。
【符号の説明】
【００５７】
１０・・・回転ドラム本体
１１・・・回転ドラム駆動装置
２０・・・攪拌羽
３０・・・回転軸
４０・・・電磁石開閉扉
１０ａ・・・円柱横型回転ドラムの形状
１０ｂ・・・円柱縦型回転ドラムの形状
１０ｃ・・・円柱傾斜型回転ドラムの形状
１０ｄ・・・円錐合わせ型回転ドラムの形状
３１・・・オートクレーブ蒸気噴射弁
３２・・・吸引減圧弁
３３・・・送風排気弁
５０・・・送風冷却装置
５１・・・送風装置
５２・・・紫外線照射灯
６０・・・振動ベルトコンベアー
７０・・・振動ふるい機またはトロンメル等
８０・・・保管ヤード
８１および８２・・・オートクレーブにより無害化され粒度調整されたリサイクル土
９０・・・被対象処理物
【図１】
0003204213.tif 000003
【図２】
0003204213.tif 000004
【図３】
0003204213.tif 000005
【図４】
0003204213.tif 000006